(57)【特許請求の範囲】
【請求項１】
一端に音声信号の入出力端子が接続されると共に、他端が分岐して一方の分岐先と他方の分岐先とのそれぞれにイヤホンが接続され、当該分岐した部分にマイクロホンが接続された配線ケーブルと、
上記配線ケーブルの分岐した部分と、当該分岐した部分に接続されたマイクロホンとを覆うように設けられたマイク筐体と、
上記マイク筐体の内部に設けられ、当該マイク筐体の内部に上記配線ケーブルを固定するカシメ金具と
を具え、
上記マイクロホンが
上記カシメ金具に接地接続されている
ヘッドセット。
【請求項２】
一端に音声信号の入出力端子が接続されると共に他端にイヤホンが接続され、一端と他端との間にマイクロホンが接続された配線ケーブルと、
上記マイクロホンを覆うように設けられたマイク筐体と、
上記マイク筐体の内部に設けられ、当該マイク筐体の内部に上記配線ケーブルを固定するカシメ金具と
を具え、
上記マイクロホンが
上記カシメ金具に接地接続されている
ヘッドセット。
【請求項３】
上記カシメ金具は、
上記マイクロホンを押えるように挟んで固定するマイクロホン押止部を有する
請求項１及び２に記載のヘッドセット。
【請求項４】
上記カシメ金具は、
金具孔を有し、当該金具孔に上記マイクロホンの集音孔を対向させて重ねるようにして当該マイクロホンを固定する
請求項１及び２に記載のヘッドセット。
【請求項５】
上記カシメ金具は、
上記配線ケーブルの一端側を固定する第１カシメ固定部と上記配線ケーブルの多端側を固定する第２カシメ部とにより上記配線ケーブルを固定し、
上記配線ケーブルは、
上記第１カシメ固定部と上記第２カシメ固定部との間において、外皮が露出するよう皮膜が剥がされている
請求項１及び２に記載のヘッドセット。
【発明の詳細な説明】
【技術分野】
【０００１】
本発明はヘッドセットに関し、例えばステレオタイプのヘッドセットに適用して好適なものである。
【背景技術】
【０００２】
従来ヘッドセットは、図１１（Ａ）に示すように、ケーブルＲ１の一端に外部機器と接続する入出力端子Ｒ２が設けられると共に、他端にイヤホンＲ３が設けられ、さらにケーブルＲ１の一端と他端の間にマイク部Ｒ４が設けられたモノラルタイプのものがある。このマイク部Ｒ４は、略直方体形状の筐体内にマイクロホンを内蔵したものであり、筐体でマイクロホンを保護するようになされている。そしてヘッドセットは、入出力端子Ｒ２が外部機器に挿入されることで外部機器と電気的に接続されると、外部機器から入力される音声信号に基づいた音声をイヤホンＲ３から出力すると共に、マイク部Ｒ４のマイクロホンにより集音した音声を電気信号に変換し、外部機器に出力していた（例えば、特許文献１参照）。
【特許文献１】実開昭６３−７８４５６号公報
【発明の開示】
【発明が解決しようとする課題】
【０００３】
ところでヘッドセットは、図１１（Ｂ）に示すように、近年、左右の耳に装着可能なステレオタイプが主流になりつつある。このステレオタイプのヘッドセットは、使用者の左右の耳にそれぞれ装着できるように、ケーブルＲ１を分岐部分Ｒ５で分岐させてそれぞれの先端に右側イヤホンＲ６及び左側イヤホンＲ７が設けられていると共に、右側イヤホンＲ６及び左側イヤホンＲ７を使用者の両耳にそれぞれ装着させることで、ステレオ音声を聞かせるようになされていた。ところが、このステレオタイプのヘッドセットは、例えばケーブルＲ１に対して外部から所定以上の力が加えられたときに分岐部分Ｒ５でケーブルＲ１が裂ける恐れがあるという問題があった。
【０００４】
この様な問題を解決するため、分岐部分Ｒ５を保護するケーブル分岐保護部を別途有するステレオタイプのヘッドセットも存在するが、この場合、ケーブル分岐保護部を設けたことによってヘッドセットが大きくなると共に構成が複雑となってしまう。
【０００５】
本発明は以上の点を考慮してなされたもので、簡易な構成でケーブルの分岐部分を保護することができるヘッドセットを提案しようとするものである。
【課題を解決するための手段】
【０００６】
かかる課題を解決するため本発明においては、一端に音声信号の入出力端子が接続されると共に、他端が分岐して一方の分岐先と他方の分岐先とのそれぞれにイヤホンが接続され、当該分岐した部分にマイクロホンが接続された配線ケーブルと、配線ケーブルの分岐した部分と当該分岐した部分に接続されたマイクロホンとを覆うように設けられたマイク筐体と、マイク筐体の内部に設けられ、当該マイク筐体の内部に配線ケーブルを固定するカシメ金具とを設け、マイクロホンをカシメ金具に接地接続するようにした。
【０００７】
このように、配線ケーブルの分岐した部分にマイクロホンを接続して、配線ケーブルの分岐した部分とこの分岐した部分に接続されたマイクロホンとを覆うようにマイク筐体を設けると共に配線ケーブルをカシメ金具で固定するようにしたことにより、配線ケーブルの分岐した部分とマイクロホンとの両方を保護することができる。
【発明の効果】
【０００８】
本発明によれば、配線ケーブルの分岐した部分にマイクロホンを接続して、配線ケーブルの分岐した部分とこの分岐した部分に接続されたマイクロホンとを覆うようにマイク筐体を設けると共に配線ケーブルをカシメ金具で固定するようにしたことにより、配線ケーブルの分岐した部分とマイクロホンとの両方を保護することができ、かくして簡易な構成でケーブルの分岐部分を保護することができるヘッドセットを実現することができる。
【発明を実施するための最良の形態】
【０００９】
以下図面について、本発明の一実施の形態を詳述する。
【００１０】
（１）ヘッドセットの外観構成
図１に示すように、１は全体として本発明を適用したヘッドセットを示している。かかるヘッドセット１は、右側イヤホン用の一対の配線、左側イヤホン用の一対の配線及びマイクロホン用の一対の配線が内部に通る配線ケーブル２を有している。配線ケーブル２は、その一端に外部の電子機器と接続する信号入出力端子３が設けられている。また配線ケーブル２は、その他端から右側イヤホン用の一対の配線が内部に通る右側イヤホンケーブル４と左側イヤホン用の一対の配線が内部に通る左側イヤホンケーブル５とが分岐して延長されている。かかる右側イヤホンケーブル４の先端には右側イヤホンＥＰ１が設けられ、一方で左側イヤホンケーブル５の先端には左側イヤホンＥＰ２が設けられている。
【００１１】
さらに配線ケーブル２の他端の右側イヤホンケーブル４と左側イヤホンケーブル５とが分岐する部分（以下、これをケーブル分岐部分と呼ぶ）には、ケーブル分岐部分を覆うようにしてマイク部６が設けられている。このマイク部６の内部には、配線ケーブル２の内部を通るマイクロホン用の一対の配線と接続する図示しないマイクロホンが設けられている。さらに、配線ケーブル２には、配線ケーブル２を巻き取って収納するケーブル収納筐体７がこの配線ケーブル２の一端と他端との間に介在するように設けられている。
【００１２】
このような構成でなるヘッドセット１は、信号入出力端子３を介して外部機器から右側音声信号及び左側音声信号が入力されると、右側音声信号を配線ケーブル２及び右側イヤホンケーブル４を介して右側イヤホンＥＰ１に伝送すると共に、左側音声信号を配線ケーブル２及び左側イヤホンケーブル５を介して左側イヤホンＥＰ２に伝送する。この結果、右側イヤホンＥＰ１及び左側イヤホンＥＰ２から右側音声信号及び左側音声信号に基づくステレオ音声が出力される。またヘッドセット１は、信号入出力端子３が外部機器と接続されたときに、マイク部６の内部に設けられた図示しないマイクロホンで集音した音声を音声信号に変換して、配線ケーブル２及び信号入出力端子３を介して外部機器に出力するようにもなされている。
【００１３】
ここで、図２（Ａ）及び（Ｂ）に示すように、マイク部６は、例えば硬質の樹脂材料でなると共に配線ケーブル２の太さと略同じ幅及び高さの直方体形状で内部が中空のマイク筐体８を有している。マイク筐体８は、ヘッドセット１が使用者に取り付けられたときに表側となる第１の筐体半体８Ａと、裏側となる第２の筐体半体８Bとから構成され、第１の筐体半体８Ａと第２の筐体半体８Bとでケーブル分岐部分を挟み込むように覆って取り付けられている。またマイク筐体８の第１の筐体半体８Ａの一面の中央には、円形状のマイク孔８Cが設けられており、マイク筐体８内部のマイクロホンに音声を通すことができるようになされている。さらにマイク筐体８の内部には配線ケーブル２の長手方向に沿うようにカシメ金具１１が設けられている。
【００１４】
カシメ金具１１は、例えば0.2mm程度の扁平な黄銅でなり、配線ケーブル２の太さと略同じ幅の略長方形状の金具板１１Ａと、金具板１１Ａの一端側に設けられ配線ケーブル２を挿通可能なだけの内径の孔を有する略円筒形状でなるカシメ固定部１１Ｂと、金具板１１Ａの他端側に設けられ右側イヤホンケーブル４及び左側イヤホンケーブル５をまとめて挿通可能なだけの内径の孔を有する略円筒形状でなるカシメ固定部１１Ｃとで構成されている。
【００１５】
このカシメ金具１１は、第２の筐体半体８B内部の底面側に配置され、カシメ固定部１１Ｂの孔に挿入された配線ケーブル２をカシメ固定すると共に、カシメ固定部１１Ｃの孔に挿入された右側イヤホンケーブル４及び左側イヤホンケーブル５をまとめてカシメ固定する。このようにしてカシメ金具１１は、マイク筐体８の内部に配線ケーブル２、右側イヤホンケーブル４及び左側イヤホンケーブル５を固定するようになっている。
【００１６】
またカシメ金具１１の金具板１１Ａの第１の筐体半体８Ａに対向する面の、マイク孔８Ｃと対向する位置には、金具板１１Ａと略同じ幅の円柱形状でなるマイクロホン２０が、その裏面を接着剤で固定されるようにして設けられている。またマイクロホン２０には、配線ケーブル２の内部を通るマイクロホン用の一対の配線（以下、これをマイクロホン用配線束１２と呼ぶ）が接続されている。これによりマイクロホン２０は、第１の筐体半体８Ａの略円形状のマイク孔８Cを通して音声を集音することができるようになされている。
【００１７】
このマイク筐体８の内部では、カシメ固定部１１Ｂとカシメ固定部１１Ｃとの間において、配線ケーブル２が、カシメ固定部１１Ｂとカシメ固定部１１Ｃとの間の長さよりも所定長だけ長くなるようにカシメ固定されていると共に、被覆が剥がされている。すなわちマイク筐体８の内部では、被覆が剥がされて細くなった配線ケーブル２がカシメ固定部１１Ｂとカシメ固定部１１Ｃとの間にたわむようにカシメ固定されていることにより、配線ケーブル２と略同じ幅及び高さのマイク筐体８内部にマイクロホン２０を設けるスペースを確保し得るようになされている。
【００１８】
このようにしてヘッドセット１は、ケーブル分岐部分と、このケーブル分岐部分に接続されたマイクロホン２０との両方を覆うようにマイク筐体８が設けられていると共に、このマイク筐体８の内部に配線ケーブル２、右側イヤホンケーブル４及び左側イヤホンケーブル５をカシメ金具１１で固定するようにしたことにより、ケーブル分岐部分とマイクロホン２０との両方を保護することができる。
【００１９】
ここで、実際にケーブル分岐部分を製造する手順としては、図３（Ａ）〜（Ｅ）に示すように、第１に配線ケーブル２の被覆２Ａを除去してマイクロホン用配線束１２、右側イヤホン用の一対の配線及び左側イヤホン用の一対の配線（以下、これをイヤホン用配線束１３と呼ぶ）を露出させ（図３（Ａ））、第２に露出したマイクロホン用配線束１２をマイクロホン２０と接続できるように短く切断し（図３（Ｂ））、第３に露出させたイヤホン用配線束１３に被覆を被せることにより右側イヤホンケーブル４及び左側イヤホンケーブル５を形成し（図３（Ｃ））、第４にカシメ金具１１のカシメ固定部１１Ｂに配線ケーブル２を固定すると共にカシメ金具１１のカシメ固定部１１Ｃに右側イヤホンケーブル４及び左側イヤホンケーブル５をまとめて固定し（図３（Ｄ））、第５に短く切断したマイクロホン用配線束１２にマイクロホン２０を接続してカシメ金具１１の金具板１１Ａに固定する（図３（Ｅ））等の工程を経ている。因みに、マイクロホン用配線束１２及びイヤホン用配線束１３は、例えばポリアミド繊維を用いた中心糸とウレタン被膜を用いた外皮を有しており、配線同士の電気的な絶縁と引っ張りに対する機械的な強度とを確保するようになされている。
【００２０】
（２）マイクロホンの構成
つづいて、上述したマイクロホン２０の構成について、図４（Ａ）及び（Ｂ）を用いて詳述する。マイクロホン２０の表面２０Ａの略中央には、略円形状の集音孔２０Ｂが設けられており、音声を通すことができるようになされている。また、マイクロホン２０の内部には、集音孔２０Ｂと連通するようにして集音空間２０Ｃが設けられている。そしてマイクロホン２０内部の底には、音声に基づいて音声信号を出力する図示しないコンデンサ及び電界効果型トランジスタ等が設けられている。これによりマイクロホン２０は、集音孔２０Ｂ及び集音空間２０Ｃを通して集音した音声を、図示しないコンデンサ及び電界効果型トランジスタ等で音声信号に変換して出力するようになされている。
【００２１】
またマイクロホン２０は、集音孔２０Ｂ及び集音空間２０Ｃを通して音声を集音するときに、集音した音声が人の発する声に合わせた周波数特性になるように、例えば集音孔２０Ｂの形状、大きさＬｗ及び深さＬｈ等が選定されている。実際上マイクロホン２０は、図５に示すように、例えば数ＫＨｚの高域での利得が高くなるような周波数特性を持つように、集音孔２０Ｂの形状、大きさＬｗ及び深さＬｈ等が選定されている。これによりマイクロホン２０は、数ＫＨｚの高域での利得が高くなるような周波数特性（つまり人の発する声にあわせた周波数特性）の音声を集音することができ、結果として周囲の騒音をカットして人の発する音声を効率よく集音することができる。
【００２２】
ここで、基本的なマイクロホン３０の回路構成について図６（Ａ）に示す回路図を用いて詳述する。かかるマイクロホン３０は、音声等により電極が振動することで電極間の距離が変化するコンデンサ３１を有している。コンデンサ３１は、対向する一対の電極のうち一方の電極が電界効果型トランジスタ３２のゲート電極Ｇに接続されていると共に、他方の電極が抵抗３３を介して電界効果型トランジスタ３２のソース電極Ｓに接続されている。また電界効果型トランジスタ３２のソース電極Ｓには出力端子３４が設けられている。そしてマイクロホン３０は、電界効果型トランジスタ３２のドレイン電極Ｄに電源から正の電圧Ｖ１が印加されると、抵抗３３及びコンデンサ３１を介することにより電圧Ｖ１に応じた電圧Ｖ２が電界効果型トランジスタ３２のゲート電極Ｇに印加される。そして電界効果型トランジスタ３２のドレイン電極Ｄとソース電極Ｓとの間には、ゲート電極Ｇに印加されている電圧Ｖ２に応じた直流電流Ｉが流れ、出力端子３４から出力される。このとき、音声等による振動でコンデンサ３１の対向する電極間の距離が変化すると、この電極間の距離の変化に応じてコンデンサ３１の静電容量が変化することにより、電界効果型トランジスタ３２のゲート電極Ｇに印加されている電圧Ｖ２が変化し、結果として出力端子３４から出力される直流電流Ｉも変化する。これによりマイクロホン３０は、集音した音声に基づいた音声信号を、直流電流Ｉの変化として出力端子３４から出力するようになされている。
【００２３】
ついで、実際に使用するマイクロホン２０の回路構成について、図６（Ａ）との対応する部分に同一符号を付して示す図６（Ｂ）を用いて詳述する。かかるマイクロホン２０内部の底には、コンデンサ２１が設けられている。コンデンサ２１は、対向する一対の電極のうち一方の電極が音声等により振動する図示しない振動板として形成されると共に電界効果型トランジスタ３２のゲート電極Ｇに接続されている。またコンデンサ２１は、電荷を蓄える高分子材料でなる図示しないエレクトレットにより他方の電極が構成されている。これによりコンデンサ２１は、エレクトレットが蓄えている電荷に応じた電圧Ｖ３を電界効果型トランジスタ３２のゲート電極Ｇに印加するようになされている。そして電界効果型トランジスタ３２のドレイン電極Ｄとソース電極Ｓとの間には、ゲート電極Ｇに印加されている電圧Ｖ３に応じた直流電流Ｉが流れ、出力端子３４から出力される。このとき、集音孔２０Ｂ及び集音空間２０Ｃを通して集音した音声でコンデンサ２１の図示しない振動板が振動して電極間の距離が変化すると、この電極間の距離の変化に応じてコンデンサ２１の静電容量が変化することにより、電界効果型トランジスタ３２のゲート電極Ｇに印加されている電圧Ｖ３が変化し、それに伴い出力端子３４から出力される直流電流Ｉも変化する。これによりマイクロホン２０は、集音した音声に基づいた音声信号を、直流電流Ｉの変化として出力端子３４から出力する。
【００２４】
（３）収納筐体の構成
ここで、上述した配線ケーブル２を巻き取って収納するケーブル収納筐体７について、図７（Ａ）及び（Ｂ）を用いて説明する。ケーブル収納筐体７の信号入出力端子側は、信号入出力端子側の配線ケーブル２（以下、これを信号入出力端子側配線ケーブル２Ｂとも呼ぶ）を介して信号入出力端子３と接続している。またケーブル収納筐体７の内部には、イヤホン側の配線ケーブル２（以下、これをイヤホン側配線ケーブル２Ｃとも呼ぶ）、マイク部６、右側イヤホンケーブル４及び左側イヤホンケーブル５を収納するケーブル収納空間４１が設けられている。そしてケーブル収納筐体７の他端には、収納空間４１につながるケーブル挿通孔４２が設けられている。かかるケーブル挿通孔４２は、イヤホン側配線ケーブル２Ｃ及びマイク部６が挿通可能であると共に、右側イヤホンケーブル４及び左側イヤホンケーブル５をまとめて挿通可能な大きさに形成されている。これによりケーブル収納筐体７は、ケーブル挿通孔４２に挿入されるイヤホン側配線ケーブル２Ｃ、マイク部６、右側イヤホンケーブル４及び左側イヤホンケーブル５を、内部のケーブル収納空間４１に通すようになされている。
【００２５】
また、ケーブル収納空間４１には、ケーブル挿通孔４２に挿通されたイヤホン側配線ケーブル２Ｃ、マイク部６、右側イヤホンケーブル４及び左側イヤホンケーブル５をケーブル収納空間４１内に巻き取るケーブル収納具４３が設けられている。かかるケーブル収納具４３は、略円柱形状のケーブル収納具本体４３Ａと、ケーブル収納具本体４３Ａの一面に延長するように設けられこのケーブル収納具本体４３Ａよりも大きい直径でなるケーブル保持円板４３Ｂと、ケーブル収納具本体４３Ａの他面に延長するように設けられこのケーブル収納具本体４３Ａよりも大きい直径でなるケーブル保持円板４３Ｃとから構成される。さらにケーブル収納具４３には、このケーブル収納具４３のケーブル保持円板４３Ｂ、ケーブル収納具本体４３Ａ及びケーブル保持円板４３Ｃの中心を一面から他面への方向に貫通するようにして、図示しない回転軸が設けられている。そしてケーブル収納具４３は、ケーブル収納筐体７内部の所定の位置にこの図示しない回転軸が取り付けられることにより、ケーブル収納筐体７に対して回動自在に枢支されるようになされている。またケーブル収納具４３のケーブル収納具本体４３Ａには、イヤホン側配線ケーブル２Ｃが接続されている。これによりケーブル収納具４３は、ケーブル挿通孔４２に通されたイヤホン側配線ケーブル２Ｃ、マイク部６、右側イヤホンケーブル４及び左側イヤホンケーブル５を、ケーブル収納具本体４３Ａで巻き取るようにしてケーブル収納空間４１に収納する。
【００２６】
そしてケーブル収納空間４１には、ケーブル収納具４３のケーブル保持円板４３Ｃと対向するようにして電極保持板４４が設けられている。かかる電極保持板４４には、信号入出力端子側配線ケーブル２Ｂを通るマイクロホン用配線束１２及びイヤホン用配線束１３（以下、これらをまとめて信号入出力端子側配線束とも呼ぶ）が接続されている。また電極保持板４４のケーブル保持円板４３Ｃと対向する一面には、信号入出力端子側配線束と接続する接触電極４４Ａがケーブル保持円板４３Ｃに向けて突設されている。さらにケーブル保持円板４３Ｃの電極保持板４４と対向する一面には、イヤホン側配線ケーブル２Ｃを通るマイクロホン用配線束１２及びイヤホン用配線束１３（以下、これらをまとめてイヤホン側配線束とも呼ぶ）と接続する回動電極板４５が設けられている。かかる回動電極板４５は、電極保持板４４の接触電極４４Ａと接触するように、ケーブル保持円板４３Ｃと電極保持板４４との間の距離が選定されていると共に、接触電極４４Ａの電極保持板４４の一面からの高さが選定されている。これによりケーブル収納筐体７は、回動電極板４５と接触電極４４Ａとが接触していることで、信号入出力端子側配線束とイヤホン側配線束とを電気的に接続する（つまり信号入出力端子側配線ケーブル２Ｂとイヤホン側配線ケーブル２Ｃとを電気的に接続する）ようになされている。これによりヘッドセット１は、図８に示すように、入出力端子３に対して右側イヤホンＥＰ１、左側イヤホンＥＰ２及びマイクロホン２０が電気的に接続されていることになる。
【００２７】
（４）動作及び効果
以上の構成において、ヘッドセット１は、配線ケーブル２の一端に信号入出力端子３が接続される。またヘッドセット１は、配線ケーブル２の他端のケーブル分岐部分でこの配線ケーブル２を分岐して延長するようにして設けられた右側イヤホンケーブル４の先端に右側イヤホンＥＰ１が接続されていると共に、左側イヤホンケーブル５の先端に左側イヤホンＥＰ２が接続されている。さらにヘッドセット１は、ケーブル分岐部分にマイクロホン２０が接続され、このケーブル分岐部分とマイクロホン２０とを覆うようにしてマイク筐体８が設けられていると共に、このマイク筐体８の内部に配線ケーブル２、右側イヤホンケーブル４及び左側イヤホンケーブル５をカシメ金具１１で固定している。
【００２８】
このようにヘッドセット１は、ケーブル分岐部分と、このケーブル分岐部分に接続されたマイクロホン２０との両方を覆うようにマイク筐体８が設けられていると共に、このマイク筐体８の内部に配線ケーブル２、右側イヤホンケーブル４及び左側イヤホンケーブル５をカシメ金具１１で固定していることにより、ケーブル分岐部分とマイクロホン２０との両方を保護することができる。
【００２９】
以上の構成によれば、ヘッドセット１は、ケーブル分岐部分と、このケーブル分岐部分に接続されたマイクロホン２０との両方を覆うようにマイク筐体８が設けられていると共に、このマイク筐体８の内部に配線ケーブル２、右側イヤホンケーブル４及び左側イヤホンケーブル５をカシメ金具１１で固定していることにより、ケーブル分岐部分とマイクロホン２０との両方を保護することができ、かくして簡易な構成でケーブルの分岐部分を保護することができる。
【００３０】
またヘッドセット１は、マイク筐体８内部のカシメ固定部１１Ｂとカシメ固定部１１Ｃとの間において、配線ケーブル２が、カシメ固定部１１Ｂとカシメ固定部１１Ｃとの間の長さよりも所定長だけ長くなるようにカシメ固定されていると共に、被覆が剥がされている。すなわちヘッドセット１は、マイク筐体８内部において、被覆が剥がされて細くなった配線ケーブル２がカシメ固定部１１Ｂとカシメ固定部１１Ｃとの間にたわむようにカシメ固定されていることにより、配線ケーブル２と略同じ幅及び高さのマイク筐体８内部にマイクロホン２０を設けるスペースを確保することができ、かくして単にケーブル分岐部分にマイクロホン２０を設けた場合と比してマイク筐体８を小型化することができる。その結果、ヘッドセット１は、配線ケーブル２とマイク部６との間の段差を少なくすることができ、使用時において、配線ケーブル２とマイク部６との間の段差に対して物が引っ掛かり難くすることもできる。
【００３１】
さらにヘッドセット１には、配線ケーブル２を巻き取って収納するケーブル収納筐体７が、この配線ケーブル２の一端と他端との間に介在するように設けられ、このケーブル収納筐体７のケーブル挿通孔４２に通されたイヤホン側配線ケーブル２Ｃ、マイク部６、右側イヤホンケーブル４及び左側イヤホンケーブル５を、ケーブル収納筐体７のケーブル収納具４３のケーブル収納具本体４３Ａで巻き取るようにしてケーブル収納空間４１に収納する。この場合も、ヘッドセット１は、マイク筐体８がマイクロホン２０の保護部とケーブル分岐部分の保護部とを兼用しているため、ケーブル分岐部分を保護するケーブル分岐保護部を別途設けると共にこのケーブル分岐保護部もケーブル収納空間４１に収納する場合と比して、ケーブル収納空間４１の容積を小さく抑えることができ、かくしてケーブル収納筐体７を小型化することができる。
【００３２】
（５）他の実施の形態
なお上述した実施の形態においては、ステレオタイプのヘッドセット１のケーブル分岐部分と、このケーブル分岐部分に接続されたマイクロホン２０との両方を覆うようにマイク筐体８が設けられていると共に、このマイク筐体８の内部に配線ケーブル２、右側イヤホンケーブル４及び左側イヤホンケーブル５をカシメ金具１１で固定する場合について述べたが、本発明はこれに限らず、ケーブル分岐部分を持たないモノラルタイプのヘッドセットに適用しても良い。この場合のモノラルタイプのヘッドセットは、例えば配線ケーブル２の途中に接続されたマイクロホン２０を覆うようにマイク筐体８が設けられていると共に、このマイク筐体８の内部に配線ケーブル２をカシメ金具１１で固定するようにすれば、単に配線ケーブル２の途中にマイクロホン２０を設けると共にマイク筐体８で覆った場合と比して、より強固に配線ケーブル２及びマイクロホン２０を保護することができ、かくして配線ケーブルに対する引っ張り等に強いモノラルタイプのヘッドセットを実現できる。
【００３３】
また上述した実施の形態においては、配線ケーブルの分岐した部分と、当該分岐した部分に接続されたマイクロホンとを覆うように設けられたマイク筐体として、略直方体形状でなるマイク筐体８を適用する場合について述べたが、本発明はこれに限らず、配線ケーブルの分岐した部分と、当該分岐した部分に接続されたマイクロホンとを覆うものであれば、図９に示すように、略直方体形状のマイク筐体本体１８Ａの一端側と他端側に略四角錐台形状のケーブル保持部１８Ｂ及び１８Ｃを設けたような形状のマイク筐体や、略円筒形状でなるマイク筐体等のように、この他種々の形状でなるマイク筐体を適用しても良い。
【００３４】
さらに上述した実施の形態においては、硬質の樹脂材料でマイク筐体８が形成される場合について述べたが、本発明はこれに限らず、ケーブル分岐部分と、このケーブル分岐部分に接続されたマイクロホン２０との両方を覆うものであれば、軟質のゴム材料や金属材料等のように、この他種々の材料でマイク筐体８を形成するようにしても良い。
【００３５】
さらに上述した実施の形態においては、カシメ金具１１の金具板１１Ａにマイクロホン２０を接着剤で固定する場合について述べたが、本発明はこれに限らず、図１０（Ａ）に示すように、カシメ金具１１の金具板１１Ａに突設された一対のマイクロホン押止部１１ＡＸでマイクロホン２０を押えるように挟んで固定するようにしても良い。この場合ヘッドセット１は、例えば筐体半体８Ａのマイク孔８Ｃと対向する位置にマイクロホン２０を固定するように一対のマイクロホン押止部１１ＡＸを設ければ、この一対のマイクロホン押止部１１ＡＸでマイクロホン２０を押えるように挟んで固定するだけで、マイク孔８Ｃに対してマイクロホン２０の位置を合わせることができ、結果としてヘッドセット１を簡易に組み立てることができる。
【００３６】
さらに上述した実施の形態においては、マイクロホン２０がマイクロホン用配線束１２と接続されている場合について述べたが、これに加えて、図１０（Ｂ）に示すように、マイクロホン２０に接地配線１４を別途設けると共に、この接地配線１４を介してカシメ金具１１を接地接続するようにしてもよい。この場合、ヘッドセット１は、接地接続されたカシメ金具１１でマイクロホン２０を電気的に保護すること（つまりシールド効果）により、カシメ金具１１を接地接続しない場合と比してマイクロホン２０に対する電気的ノイズ等の影響を抑えることができ、結果として集音した音声を安定して音声信号に変換して出力することができる。
【００３７】
さらに上述した実施の形態においては、カシメ金具１１の金具板１１Ａの第１の筐体半体８Ａに対向する面の、マイク孔８Ｃと対向する位置にマイクロホン２０が設けられていると共に、第２の筐体半体８B内部の底面側にカシメ金具１１が設けられている場合について述べたが、本発明はこれに限らず、図１０（Ｃ）に示すように、カシメ金具１１の金具板１１Ａの中央に形成された金具孔１１ＡＹにマイクロホン２０の集音孔２０Ｂを対向させて重ねるようにマイクロホン２０を設けると共に、第１の筐体半体８Ａのマイク孔８Ｃと金具孔１１ＡＹの金具孔１１ＡＹとが対向するように第１の筐体半体８Ａの内部の底面側にカシメ金具１１を設けるようにしても良い。この場合、ヘッドセット１は、例えば数ＫＨｚの高域での利得が高くなるような周波数特性でマイクロホン２０が集音できるように（図５）、金具孔１１ＡＹの形状、大きさ及び深さ等を選定すると共に、マイク孔８Ｃの形状、大きさ及び深さ等を選定すれば、数ＫＨｚの高域での利得が高くなるような周波数特性（つまり人の発する声にあわせた周波数特性）の音声をマイクロホン２０で集音することができ、結果として周囲の騒音をカットして人の発する音声を効率よく集音することができる。
【００３８】
さらに上述した実施の形態においては、0.2mm程度の扁平な黄銅でカシメ金具１１が形成される場合について述べたが、本発明はこれに限らず、マイク筐体８の内部で配線ケーブル２、右側イヤホンケーブル４及び左側イヤホンケーブル５を固定することができれば、厚さは限定しないし、硬質の樹脂材料、鉄やアルミ等のように、この他種々の材料でカシメ金具１１を形成するようにしても良い。
【００３９】
さらに上述した実施の形態においては、ポリアミド繊維を用いた中心糸とウレタン被膜を用いた外皮でマイクロホン用配線束１２及びイヤホン用配線束１３が形成されている場合について述べたが、本発明はこれに限らず、配線同士の電気的な絶縁と引っ張りに対する機械的な強度とを確保することができれば、金属繊維を用いた中心糸とポリアミド被膜を用いた外皮や、ナイロン繊維を用いた中心糸とポリエチレン被膜等のように、この他種々の材料でマイクロホン用配線束１２及びイヤホン用配線束１３を形成するようにしても良い。
【００４０】
さらに上述した実施の形態においては、音声を集音すると共に、集音した音声に基づいた音声信号を出力するマイクロホンとして、エレクトレットコンデンサ型のマイクロホン２０を用いる場合について述べたが、本発明はこれに限らず、コンデンサ型のマイクロホン３０を適用するようにしても良いし、ムービング・コイル型やカーボンマイク型や圧電マイク型等でなるマイクロホンのように、この他種々のタイプのマイクロホンを用いるようにしても良い。
【００４１】
さらに上述した実施の形態においては、ケーブル挿通孔４２に通されたイヤホン側配線ケーブル２Ｃ、マイク部６、右側イヤホンケーブル４及び左側イヤホンケーブル５を、ケーブル収納筐体７のケーブル収納具本体４３Ａで巻き取るようにして収納する場合について述べたが、これに加えて、信号入出力端子側配線ケーブル２Ｂもケーブル収納具本体４３Ａで巻き取るようにして収納するようにしても良い。
【００４２】
さらに上述した実施の形態においては、ケーブル挿通孔４２に通されたイヤホン側配線ケーブル２Ｃ、マイク部６、右側イヤホンケーブル４及び左側イヤホンケーブル５を、ケーブル収納具本体４３Ａで巻き取るようにして収納するケーブル収納筐体７について述べたが、本発明はこれに限らず、ケーブル挿通孔４２に通されたイヤホン側配線ケーブル２Ｃ、マイク部６、右側イヤホンケーブル４及び左側イヤホンケーブル５を折り畳んで収納するケーブル収納筐体等のように、この他種々の方法でケーブル挿通孔４２に通されたイヤホン側配線ケーブル２Ｃ、マイク部６、右側イヤホンケーブル４及び左側イヤホンケーブル５を収納するケーブル収納筐体を適用するようにしても良い。
【産業上の利用可能性】
【００４３】
本発明はステレオタイプのヘッドセットに利用することができる。
【図面の簡単な説明】
【００４４】
【図１】ヘッドセットの外観構成を示す略線図である。
【図２】マイク部の外観構成を示す略線的斜視図である。
【図３】ケーブル分岐部分の製作工程の説明に供する略線的斜視図である。
【図４】マイクロホンの外観構成を示す略線図である。
【図５】マイクロホンの周波数特性の説明に供する略線図である。
【図６】マイクロホンの回路構成を示す略線図である。
【図７】ケーブル収納の説明に供する略線図である。
【図８】ヘッドセットの回路構成を示す略線図である。
【図９】その他の実施例（１）を示す略線図である。
【図１０】その他の実施例（２）を示す略線図である。
【図１１】従来のヘッドセットの構成を示す略線図である。
【符号の説明】
【００４５】
１……ヘッドセット、２……配線ケーブル、３……信号入出力端子、４……右側イヤホンケーブル、５……左側イヤホンケーブル、６、１８……マイク部、７……ケーブル収納筐体、８……マイク筐体、８Ａ……第１の筐体半体、８Ｂ……第２の筐体半体、８Ｃ……マイク孔、１１……カシメ金具、１１Ａ……金具板、１１ＡＸ……マイクロホン押止部、１１ＡＹ……金具孔、１１Ｂ、１１Ｃ……カシメ固定部、１２……マイクロホン用配線、１３……イヤホン用配線、１４……接地配線、２０……マイクロホン、２０Ｂ……集音孔、４１……ケーブル収納空間、４２……ケーブル挿通孔、４３……ケーブル収納具、４４……電極保持板、４４Ａ……接触電極、４５……回動電極板、ＥＰ１……右側イヤホン、ＥＰ２……左側イヤホン。
【図１】
0004671042.tif 000002
【図２】
0004671042.tif 000003
【図３】
0004671042.tif 000004
【図４】
0004671042.tif 000005
【図５】
0004671042.tif 000006
【図６】
0004671042.tif 000007
【図７】
0004671042.tif 000008
【図８】
0004671042.tif 000009
【図９】
0004671042.tif 000010
【図１０】
0004671042.tif 000011
【図１１】
0004671042.tif 000012